(57)【要約】【課題】各生体情報測定装置が、各情報処理装置へ生体情報を送信する各タイミングを分散させることができる生体情報測定装置、情報処理装置及び生体情報測定システムの提供。【解決手段】本実施形態の生体情報測定装置１００は、センサー部１１０と、センサー部１１０からのセンサー情報に基づいて、生体情報を検出する処理部１３０と、生体情報を情報処理装置２００へ送信する通信部１５０と、時刻を出力する時刻出力部１７０と、を含む。そして、通信部１５０は、機器固有情報に基づいて、生体情報の送信タイミングの遅延時間を求め、時刻出力部１７０から出力された時刻に基づいて、第１の送信タイミングを求め、第１の送信タイミングから、求めた遅延時間だけ遅延した第２の送信タイミングにおいて、生体情報を送信する。【選択図】  図１
2015119909.tif 000002
【特許請求の範囲】
【請求項１】
センサー部と、
前記センサー部からのセンサー情報に基づいて、生体情報を検出する処理部と、
前記生体情報を情報処理装置へ送信する通信部と、
時刻を出力する時刻出力部と、
を含み、
前記通信部は、
機器固有情報に基づいて、前記生体情報の送信タイミングの遅延時間を求め、
前記時刻出力部から出力された前記時刻に基づいて、前記第１の送信タイミングを求め、前記第１の送信タイミングから、求めた前記遅延時間だけ遅延した第２の送信タイミングにおいて、前記生体情報を送信することを特徴とする生体情報測定装置。
【請求項２】
請求項１において、
前記生体情報を時刻情報と対応付けて記憶する記憶部を含み、
前記通信部は、
前記第２の送信タイミングにおいて、前記記憶部に記憶された前記生体情報を送信することを特徴とする生体情報測定装置。
【請求項３】
請求項１又は２において、
前記処理部は、
前記センサー情報に基づいて、第１の生体情報と、前記生体情報である第２の生体情報を検出し、
前記通信部は、
第１の通信周期で前記第１の生体情報を送信し、前記第１の通信周期よりも長い第２の通信周期で前記第２の生体情報を送信することを特徴とする生体情報測定装置。
【請求項４】
請求項１乃至３のいずれかにおいて、
前記通信部は、
前記生体情報のデータを、複数のパケットにより構成される複数のブロックに分割し、前記複数のブロックを送信することを特徴とする生体情報測定装置。
【請求項５】
請求項４において、
前記通信部は、
近接無線通信により、アクノリッジなしリードのプロパティが与えられた第１のキャラクタリスティックで、前記複数のブロックを送信し、前記情報処理装置におけるブロックの受信結果を、アクノリッジ付きライトの前記プロパティが与えられた第２のキャラクタリスティックで受信することを特徴とする生体情報測定装置。
【請求項６】
請求項１乃至５のいずれかにおいて、
前記通信部は、
前記生体情報を送信する前に、第１の通信速度から前記第１の通信速度よりも速い第２の通信速度へと、通信速度を変更し、前記生体情報の送信完了後に、前記第２の通信速度よりも遅い第３の通信速度へと、前記通信速度を変更することを特徴とする生体情報測定装置。
【請求項７】
請求項６において、
前記通信部は、
近接無線通信により、アクノリッジ付きライトのプロパティが与えられた第１のキャラクタリスティックで、通信速度変更指示を受信し、受信した前記通信速度変更指示に基づいて前記通信速度を変更し、アクノリッジ付きリードの前記プロパティが与えられた第２のキャラクタリスティックで、通信速度変更完了通知を送信することを特徴とする生体情報測定装置。
【請求項８】
請求項１乃至７のいずれかにおいて、
前記通信部は、
前記第２の送信タイミングにおいて、前記生体情報を送信可能である場合には、前記生体情報を送信可能になったことの通知を前記情報処理装置へ送信し、前記情報処理装置から送信開始指示を受信した場合に、前記生体情報を送信することを特徴とする生体情報測定装置。
【請求項９】
請求項８において、
前記通信部は、
前記情報処理装置から送信開始指示を受信した場合に、アクノリッジ付きリードのプロパティが与えられた第３のキャラクタリスティックで、前記生体情報のアップロードデータサイズを前記情報処理装置へ送信して、前記生体情報の送信を開始することを特徴とする生体情報測定装置。
【請求項１０】
請求項１乃至９のいずれかにおいて、
前記生体情報を検出したタイミングに前記時刻出力部から出力された測定時刻に、前記生体情報を関連付けて記憶する記憶部を含むことを特徴とする生体情報測定装置。
【請求項１１】
請求項１乃至１０のいずれかにおいて、
前記生体情報は、
歩数、消費カロリー、摂取カロリー、精神ストレス情報、睡眠情報及び行動分析情報のうちの少なくとも１つの情報を含むことを特徴とする生体情報測定装置。
【請求項１２】
センサー部からのセンサー情報に基づいて、生体情報を検出し、前記生体情報の第１の送信タイミングを時刻から求める生体情報測定装置と通信する通信部と、
処理部と、
を含み、
前記通信部は、
前記第１の送信タイミングから、前記生体情報測定装置の機器固有情報に基づいて求められた遅延時間だけ遅延した第２の送信タイミングにおいて、前記生体情報を受信することを特徴とする情報処理装置。
【請求項１３】
請求項１２において、
前記処理部は、
前記生体情報を送信可能になったことの通知を、前記生体情報測定装置から前記通信部が受信した場合に、前記生体情報測定装置に対して、前記生体情報の送信開始を指示することを特徴とする情報処理装置。
【請求項１４】
生体情報測定装置と、
情報処理装置と、
を含み、
前記生体情報測定装置は、
センサー部からのセンサー情報に基づいて、生体情報を検出し、
機器固有情報に基づいて、前記生体情報の送信タイミングの遅延時間を求め、
時刻に基づいて求められた第１の送信タイミングから、前記遅延時間だけ遅延した第２の送信タイミングにおいて、前記生体情報を送信し、
前記情報処理装置は、
前記第２の送信タイミングにおいて、前記生体情報を受信することを特徴とする生体情報測定システム。
【発明の詳細な説明】
【技術分野】
【０００１】
本発明は、生体情報測定装置、情報処理装置及び生体情報測定システム等に関係する。
【背景技術】
【０００２】
昨今、ブルートゥースローエナジー（Bluetooth（登録商標）Low Energy、略称ＢＬＥ）が策定され、スマートデバイス（クライアント、ペリフェラル）とヘルスケアデバイス（サーバー、ホスト）を簡単に、しかも省電力で接続できるようになった。従来のブルートゥースのプロファイルとは異なり、ＢＬＥでは特定のユースケース（運動、健康、スマートフォン連携等）に特化したプロファイルが策定され、策定された標準プロファイルに対応すれば、異なる機器間の相互接続性も保証される。
【０００３】
このＢＬＥの仕様を定めた各種資料は、例えば下記の非特許文献１の欄に記載したＵＲＬのウェブページにおいて公開されている。
【先行技術文献】
【非特許文献】
【０００４】
【非特許文献１】https://www.bluetooth.org/ja-jp/specification/adopted-specifications
【発明の概要】
【発明が解決しようとする課題】
【０００５】
ヘルスケア関連サービスを利用して、ユーザーが日常生活や運動時における生体情報を計測、解析するような場合において、ヘルスケアデバイスで計測し、所定期間蓄積された生体情報に基づいて、ユーザーの状態、例えばユーザーのストレス状態や睡眠状態などの状態を判定するようなサービスでは、ヘルスケアデバイスからスマートデバイスへ生体情報を送信した後に、スマートデバイスからサーバーへと生体情報が送信される。この際に、各スマートデバイスが、同じタイミングでサーバーに対してアップロードを行ってしまうため、サーバーへの負荷集中が発生し、重大な障害が発生する危険性がある。
【課題を解決するための手段】
【０００６】
本発明の一態様は、センサー部と、前記センサー部からのセンサー情報に基づいて、生体情報を検出する処理部と、前記生体情報を情報処理装置へ送信する通信部と、時刻を出力する時刻出力部と、を含み、前記通信部は、機器固有情報に基づいて、前記生体情報の送信タイミングの遅延時間を求め、前記時刻出力部から出力された前記時刻に基づいて、前記第１の送信タイミングを求め、前記第１の送信タイミングから、求めた前記遅延時間だけ遅延した第２の送信タイミングにおいて、前記生体情報を送信する生体情報測定装置に関係する。
【０００７】
本発明の一態様では、生体情報測定装置の通信部が、第１の送信タイミングから、求めた遅延時間だけ遅延した第２の送信タイミングにおいて、生体情報を送信する。そして、情報処理装置の通信部が、第１の送信タイミングから、求められた遅延時間だけ遅延した第２の送信タイミングにおいて、生体情報を受信する。
【０００８】
これにより、各生体情報測定装置が、各情報処理装置へ生体情報を送信する各タイミングを分散させることが可能となる。その結果、各情報処理装置がサーバーへ生体情報を送信するタイミングも分散させることが可能となる。
【０００９】
また、本発明の一態様では、前記生体情報を時刻情報と対応付けて記憶する記憶部を含み、前記通信部は、前記第２の送信タイミングにおいて、前記記憶部に記憶された前記生体情報を送信してもよい。
【００１０】
これにより、情報処理装置が、生体情報測定装置の記憶部に記憶された生体情報をまとめて受信すること等が可能になる。
【００１１】
また、本発明の一態様では、前記処理部は、前記センサー情報に基づいて、第１の生体情報と、前記生体情報である第２の生体情報を検出し、前記通信部は、第１の通信周期で前記第１の生体情報を送信し、前記第１の通信周期よりも長い第２の通信周期で前記第２の生体情報を送信してもよい。
【００１２】
これにより、リアルタイム性を満たしつつ、第１の生体情報の送受信を行い、第２の生体情報を所与のタイミングにおいて、まとめて送受信すること等が可能になる。
【００１３】
また、本発明の一態様では、前記通信部は、前記生体情報のデータを、複数のパケットにより構成される複数のブロックに分割し、前記複数のブロックを送信してもよい。
【００１４】
これにより、近接無線通信の標準プロファイルにより送受信可能な第１のデータ量よりも大きい第２のデータ量のデータを、近接無線通信により送受信することが可能となる。
【００１５】
また、本発明の一態様では、前記通信部は、近接無線通信により、アクノリッジなしリードのプロパティが与えられた第１のキャラクタリスティックで、前記複数のブロックを送信し、前記情報処理装置におけるブロックの受信結果を、アクノリッジ付きライトの前記プロパティが与えられた第２のキャラクタリスティックで受信してもよい。
【００１６】
これにより、１回受信結果を受信するだけで、複数のパケット送信の成否を判定すること等が可能になる。
【００１７】
また、本発明の一態様では、前記通信部は、前記生体情報を送信する前に、第１の通信速度から前記第１の通信速度よりも速い第２の通信速度へと、通信速度を変更し、前記生体情報の送信完了後に、前記第２の通信速度よりも遅い第３の通信速度へと、前記通信速度を変更してもよい。
【００１８】
これにより、高速転送を行いつつも、省電力性を維持すること等が可能になる。
【００１９】
また、本発明の一態様では、前記通信部は、近接無線通信により、アクノリッジ付きライトのプロパティが与えられた第１のキャラクタリスティックで、通信速度変更指示を受信し、受信した前記通信速度変更指示に基づいて前記通信速度を変更し、アクノリッジ付きリードの前記プロパティが与えられた第２のキャラクタリスティックで、通信速度変更完了通知を送信してもよい。
【００２０】
これにより、受信した通信速度変更指示が示す通信速度で通信を行うこと等が可能になる。
【００２１】
また、本発明の一態様では、前記通信部は、前記第２の送信タイミングにおいて、前記生体情報を送信可能である場合には、前記生体情報を送信可能になったことの通知を前記情報処理装置へ送信し、前記情報処理装置から送信開始指示を受信した場合に、前記生体情報を送信してもよい。
【００２２】
これにより、情報処理装置が、生体情報測定装置へ送信開始を指示すること等が可能になる。
【００２３】
また、本発明の一態様では、前記通信部は、前記情報処理装置から送信開始指示を受信した場合に、アクノリッジ付きリードのプロパティが与えられた第３のキャラクタリスティックで、前記生体情報のアップロードデータサイズを前記情報処理装置へ送信して、前記生体情報の送信を開始してもよい。
【００２４】
これにより、データの送信を開始することと、アップロードデータサイズとを通知すると共に、外部装置が送信開始を了解した旨を受信すること等が可能になる。
【００２５】
また、本発明の一態様では、前記生体情報を検出したタイミングに前記時刻出力部から出力された測定時刻に、前記生体情報を関連付けて記憶する記憶部を含んでもよい。
【００２６】
これにより、情報処理装置が、受信した生体情報の測定時刻を特定すること等が可能になる。
【００２７】
また、本発明の一態様では、前記生体情報は、歩数、消費カロリー、摂取カロリー、精神ストレス情報、睡眠情報及び行動分析情報のうちの少なくとも１つの情報を含んでもよい。
【００２８】
これにより、情報処理装置に被検体の生体情報を送信すること等が可能になる。
【００２９】
また、本発明の他の態様は、センサー部からのセンサー情報に基づいて、生体情報を検出し、前記生体情報の第１の送信タイミングを時刻から求める生体情報測定装置と通信する通信部と、処理部と、を含み、前記通信部は、前記第１の送信タイミングから、前記生体情報測定装置の機器固有情報に基づいて求められた遅延時間だけ遅延した第２の送信タイミングにおいて、前記生体情報を受信する情報処理装置に関係する。
【００３０】
本発明の他の態様では、生体情報測定装置の通信部が、第１の送信タイミングから、求めた遅延時間だけ遅延した第２の送信タイミングにおいて、生体情報を送信する。そして、情報処理装置の通信部が、第１の送信タイミングから、求められた遅延時間だけ遅延した第２の送信タイミングにおいて、生体情報を受信する。
【００３１】
これにより、各生体情報測定装置が、各情報処理装置へ生体情報を送信する各タイミングを分散させることが可能となる。その結果、各情報処理装置がサーバーへ生体情報を送信するタイミングも分散させることが可能となる。
【００３２】
また、本発明の他の態様では、前記処理部は、前記生体情報を送信可能になったことの通知を、前記生体情報測定装置から前記通信部が受信した場合に、前記生体情報測定装置に対して、前記生体情報の送信開始を指示してもよい。
【００３３】
これにより、生体情報測定装置の通信部が、生体情報の送信を開始すること等が可能となる。
【００３４】
また、本発明の他の態様は、生体情報測定装置と、情報処理装置と、を含み、前記生体情報測定装置は、センサー部からのセンサー情報に基づいて、生体情報を検出し、機器固有情報に基づいて、前記生体情報の送信タイミングの遅延時間を求め、時刻に基づいて求められた第１の送信タイミングから、前記遅延時間だけ遅延した第２の送信タイミングにおいて、前記生体情報を送信し、前記情報処理装置は、前記第２の送信タイミングにおいて、前記生体情報を受信する生体情報測定システムに関係する。
【００３５】
本発明の幾つかの態様によれば、各生体情報測定装置が、情報処理装置へ生体情報を送信する各タイミングを分散させることができる生体情報測定装置、情報処理装置及び生体情報測定システム等を提供することができる。
【図面の簡単な説明】
【００３６】
【図１】本実施形態のシステム構成例。
【図２】第１の生体情報と第２の生体情報の説明図。
【図３】第１の通信周期と第２の通信周期の説明図。
【図４】遅延時間により分散された送信タイミングの説明図。
【図５】本実施形態の全体の処理の流れを説明するシーケンス図。
【図６】図６（Ａ）、図６（Ｂ）は、本実施形態の他のシステム構成例。
【図７】ブロックの説明図。
【図８】パケットの説明図。
【図９】アップロードシーケンスの処理の流れを説明するシーケンス図。
【図１０】アップロードシーケンスの処理の流れを説明する他のシーケンス図。
【図１１】ダウンロードシーケンスの処理の流れを説明するシーケンス図。
【図１２】ダウンロードシーケンスの処理の流れを説明する他のシーケンス図。
【図１３】通信速度変更シーケンスの処理の流れを説明するシーケンス図。
【図１４】図１４（Ａ）、図１４（Ｂ）は、本実施形態の生体情報測定装置の外観図。
【図１５】本実施形態の生体情報測定装置の外観図。
【図１６】生体情報測定装置の装着及び情報処理装置との通信についての説明図。
【発明を実施するための形態】
【００３７】
以下、本実施形態について説明する。なお、以下で説明する本実施形態は、特許請求の範囲に記載された本発明の内容を不当に限定するものではない。また、本実施形態で説明される構成の全てが、本発明の必須構成要件であるとは限らない。
【００３８】
１．本実施形態の概要
本実施形態の生体情報測定装置、情報処理装置及び生体情報測定システム等では、近接無線通信の標準プロファイルにより送受信可能な第１のデータ量よりも大きい第２のデータ量のデータを、近接無線通信により送受信することを可能にする。
【００３９】
本実施形態では、例えば近接無線通信としてＢＬＥ通信を用いて、ヘルスケアデバイス（サーバー、ホスト）からスマートデバイス（クライアント、ペリフェラル）への生体情報の送受信を行う場合の処理について説明する。なお、ＢＬＥは、従来の近接無線通信よりも省電力性に優れた通信方式である。また、ヘルスケアデバイスは、前述した生体情報測定装置の一つである。
【００４０】
ここで、ヘルスケアデバイスが送信する生体情報には、第１の生体情報（または第１の生体データ）と第２の生体情報（または第２の生体データ）がある。そして、第１の生体情報は、具体的には脈、体温、血圧、血糖値、歩数及び消費カロリーなどの情報であり、第１のデータ量を有している。一方、第２の生体情報は、例えば摂取カロリー、精神ストレス情報（メンタル状態）、行動分析情報及び睡眠情報等であり、第１のデータ量よりも大きい第２のデータ量を有している。また、第１の生体情報と第２の生体情報は、どちらも逐次変化する情報である。なお、第１の生体情報は、ユーザーが自身の体の状況を把握するために、リアルタイムで通信して、ユーザーに通知する必要がある情報（要求される応答待ち時間が短い情報）であるが、第２の生体情報は、リアルタイムで把握することよりも、所定期間、例えば１時間ごとにその期間における情報を提供することができればよい情報（要求される応答待ち時間が長い情報）である。
【００４１】
そして、ＢＬＥの標準プロファイルでは、第１の生体情報の送受信方法については規定されているため、省電力性を維持したまま、ヘルスケアデバイスからスマートデバイスへリアルタイム性を満たすように、第１の生体情報を連続して送信可能である。
【００４２】
しかし、ＢＬＥの標準プロファイルでは、それ以外の第２の生体情報の送受信方法については、規定されていない。そもそもＢＬＥでは、比較的データ量の大きいデータの送受信については、想定されていないためである。そのため、仮に第１の生体情報と同様に、第２の生体情報のデータを連続的に送信する場合には、第２のデータ量が第１のデータ量よりも大きいために、省電力性を維持できなくなるという問題が発生する。また、第１の生体情報を所定期間蓄積し、それらを一括してＢＬＥで送信する場合においても同様である。
【００４３】
そこで本実施形態では、ＢＬＥ通信を用いて、要求される応答待ち時間の短い、第１の生体情報等のデータやサマリーデータのみを、短い周期で連続的に送信し、一方で、第２の生体情報等の詳細データを別途まとめて送信する。
【００４４】
具体的に、本実施形態では、第２のデータ量のデータを送信するために、独自プロファイルを規定し、この独自プロファイルに基づいて、第２の生体情報の送受信を行う。本実施形態の独自プロファイルに基づく通信では、前述したように、第１の生体情報と同じ短い通信周期で、第２の生体情報を連続的に送信するのではなく、ヘルスケアデバイスの記憶部に時刻情報と関連付けて記録し、第２の生体情報のデータを一つの塊として１時間毎にまとめて送信する。
【００４５】
これにより、省電力性を維持しつつ、ヘルスケアデバイスからスマートデバイスへ、第１の生体情報だけでなく、第２の生体情報も送信することが可能になる。
【００４６】
さらに、前述したように、ヘルスケアデバイスとスマートデバイスとの通信が切断されてしまった場合には、通信が切断されている間に検出された第１の生体情報を、スマートデバイスが受信できないという問題もある。
【００４７】
この問題に対して、本実施形態では、通信の切断中に検出された第１の生体情報を、ヘルスケアデバイスの記憶部に記憶しておき、再接続後に、独自プロファイルに基づいて、未送信の第１の生体情報をまとめて送信する。これにより、スマートデバイスにおいて、第１の生体情報の取得漏れが生じることを防ぐことが可能となる。
【００４８】
また、本実施形態では、独自プロファイルに基づいて通信を行う間、ＢＬＥの通信速度を引き上げ、送受信完了後に通信速度を標準プロファイルで策定されている通信速度に戻す処理も行う。なお、通信速度を変更した場合にも、標準プロファイルに基づいて第１の生体情報を変わりなく送信することが可能である。また、独自プロファイルに基づいて第２の生体情報を送信している間にも、並列して、標準プロファイルに基づいて第１の生体情報を送信することも可能である。
【００４９】
さて、ヘルスケアデバイスで計測して記録された生体情報（第２の生体情報）は、ヘルスケアデバイスからスマートデバイスへ送信された後に、スマートデバイスからＷｅｂサーバーへ送信される。
【００５０】
この際に、市場で使用されている全てのスマートデバイスから、同じタイミングでＷｅｂサーバーに対してアップロードが行われてしまうため、Ｗｅｂサーバーへの負荷集中が発生し、重大な障害が発生する危険性がある。
【００５１】
そこで、本実施形態の生体情報測定装置、情報処理装置及び生体情報測定システム等では、各生体情報測定装置が、情報処理装置へ生体情報を送信する各タイミングを分散させることを可能にする。
【００５２】
以下では、先に、標準プロファイルに基づいて第１の生体情報を送信し、独自プロファイルに基づいて第２の生体情報を送信する例について説明する。その後に、本実施形態の独自プロファイルに基づく通信方法の詳細について説明する。
【００５３】
２．実施例
２．１．システム構成例
まず、図１に本実施形態の生体情報測定装置１００、情報処理装置２００及びこれらを含む生体情報測定システムの構成例を示す。生体情報測定装置１００は、センサー部１１０と、処理部１３０と、通信部１５０と、時刻出力部１７０と、記憶部１９０と、を含む。一方、情報処理装置２００は、通信部２１０と、処理部２３０と、を含む。なお、生体情報測定装置１００は、後述する図６（Ａ）の情報処理装置１０に相当し、情報処理装置２００は、後述する図６（Ａ）の外部装置５０に相当する。
【００５４】
また、生体情報測定装置１００、情報処理装置２００及びこれらを含む生体情報測定システムは、図１の構成に限定されず、これらの一部の構成要素を省略したり、他の構成要素を追加したりするなどの種々の変形実施が可能である。さらに、情報処理装置２００の一部又は全部の機能は、生体情報測定装置１００又は情報処理装置２００と通信により接続されたサーバーにより実現されてもよい。
【００５５】
次に、生体情報測定装置１００の各部について説明する。
【００５６】
まず、センサー部１１０は、例えば脈波センサー、温度センサー及び体動センサーなどである。そして、センサー部１１０は、一つのセンサーにより構成されるとは限らず、複数種類のセンサーにより構成されていてもよい。また、センサー部１１０が複数種類のセンサーから構成される場合には、生体情報測定装置１００の異なる位置（部位）に各センサーが設けられても良い。
【００５７】
ここで、脈波センサーは、脈波センサー信号を検出するためのセンサーであり、例えば光電センサー等が考えられる。ただし、脈波センサーとして光電センサーを用いるとは限らず、超音波を用いたセンサー等のその他のセンサーを用いてもよい。
【００５８】
また、体動センサーとしては、モーションセンサー（加速度センサー）や、圧力センサー（接触圧センサー）等を用いる。さらに、体動センサーとして、複数種類のセンサーを設けても良い。
【００５９】
次に、処理部１３０は、センサー部１１０から得られるセンサー情報に基づいて、生体情報（第１の生体情報及び第２の生体情報）を検出する。なお、図１の処理部１３０は、後述する図６（Ａ）の情報取得部１１に相当する。
【００６０】
そして、通信部１５０は、生体情報（第１の生体情報及び第２の生体情報）を情報処理装置２００へ送信する。なお、図１の通信部１５０は、後述する図６（Ａ）の通信部１３に相当する。また、処理部１３０及び通信部１５０の機能は、各種プロセッサー（ＣＰＵ等）、ＡＳＩＣ（ゲートアレイ等）などのハードウェアや、プログラムなどにより実現できる。
【００６１】
さらに、時刻出力部１７０は、時刻を出力する。時刻出力部１７０の機能は、例えばハードウェアタイマーなどを用いて実現される。
【００６２】
次に、記憶部１９０は、生体情報（第２の生体情報）を時刻情報と対応付けてして記憶する。さらに、記憶部１９０は、処理部１３０や通信部１５０等のワーク領域となるものでもあり、その機能はＲＡＭ等のメモリーやＨＤＤなどにより実現できる。
【００６３】
次に、情報処理装置２００の各部について説明する。
【００６４】
まず、通信部２１０は、生体情報測定装置１００の通信部２１０と近接無線通信を行って、生体情報を取得する。
【００６５】
そして、処理部２３０は、通信部２１０が受信した生体情報等に基づいて各種処理を行う。例えば、処理部２３０は、取得した生体情報を外部の表示部に表示させる処理などを行う。なお、通信部２１０及び処理部２３０の機能は、各種プロセッサー（ＣＰＵ等）、ＡＳＩＣ（ゲートアレイ等）などのハードウェアや、プログラムなどにより実現できる。
【００６６】
２．２．処理の詳細
本実施形態において生体情報測定装置１００から情報処理装置２００へ送信する情報は、生体情報である。そして、前述したように、生体情報には、近接無線通信の通信規格（ＢＬＥ）の標準プロファイルにおいて送受信方法が規定されている第１の生体情報と、通信規格（ＢＬＥ）の標準プロファイルにおいて送受信方法が規定されていない第２の生体情報がある。
【００６７】
具体的に、図２に示すように、第１の生体情報は、脈拍数、体温、歩数及び消費カロリーなどである。一方、第２の生体情報は、摂取カロリー、精神ストレス情報、睡眠情報及び行動分析情報のうちの少なくとも１つの情報を含む。
【００６８】
これにより、情報処理装置２００に被検体の生体情報を送信すること等が可能になる。
【００６９】
そして、本実施形態では生体情報測定装置１００の通信部１５０は、通信部１５０が行う通信の通信規格における標準プロファイルに基づいて、第１の生体情報を送信し、前述の通信規格における独自プロファイルに基づいて、第２の生体情報を送信する。
【００７０】
これにより、第１の生体情報だけではなく、標準プロファイルでは送信することができない第２の生体情報も送信すること等が可能になる。
【００７１】
また、本実施形態で用いる通信規格は、近接無線通信規格であり、標準プロファイルは、近接無線通信規格において標準化されているプロファイルである。より具体的には、近接無線通信規格は、ＢＬＥである。
【００７２】
これにより、近接無線通信規格に従って、生体情報の送受信を行うこと等が可能になる。具体的には、ＢＬＥにおいて定められている標準プロファイルに従って、第１の生体情報の送受信を行うことできる。
【００７３】
また、生体情報測定装置１００が、第２の生体情報を独自プロファイルに従って、情報処理装置２００へ送信する場合には、後述するアップロードシーケンス時の処理を行う。具体的には、後に図７〜図１０を用いて詳述するように、通信部１５０は、生体情報（第２の生体情報）のデータを、複数のパケットにより構成される複数のブロックに分割し、複数のブロックを、例えばブロック毎に送信する。
【００７４】
これにより、近接無線通信の標準プロファイルにより送受信可能な第１のデータ量よりも大きい第２のデータ量のデータ（第２の生体情報のデータ）を、近接無線通信により送受信することが可能となる。
【００７５】
また、生体情報測定装置１００の通信部１５０は、第１の生体情報を第１の通信周期で送信し、記憶部１９０に記憶された第２の生体情報を、第１の通信周期よりも長い第２の通信周期で送信する。
【００７６】
より具体的に言い換えれば、通信部１５０は、第１の通信周期の（各）送信タイミングにおいて、第１のデータ量で第１の生体情報を送信し、第２の通信周期の（各）送信タイミングにおいて、第１のデータ量よりも多い第２のデータ量で、第２の生体情報を送信する。
【００７７】
そして、情報処理装置２００の通信部２１０が、第１の通信周期で第１の生体情報を受信し、第２の通信周期で第２の生体情報を受信する。
【００７８】
これにより、リアルタイム性を満たしつつ、第１の生体情報の送受信を行い、第２の生体情報を所与のタイミングにおいて、まとめて送受信すること等が可能になる。
【００７９】
具体例を図３に示す。図３には、横軸を時間軸として、第１の通信周期の各送信タイミングと、第２の通信周期の各送信タイミングを示す。本例では、第１の通信周期が１秒であり、第２の通信周期が１時間であるものとする。
【００８０】
この時、本例では時刻０：００ちょうどが、第２の通信周期の１回目の送信タイミングＴＭ２１となり、次の２回目の送信タイミングＴＭ２２が、その１時間後の時刻１：００ちょうどとなる。
【００８１】
また、図３の二段目は、図３の一段目から、時刻０：００〜時刻０：１０の時間帯を抜き出して図示しており、さらに、図３の三段目は、図３の二段目から、時刻０：００〜時刻０：０１の時間帯を拡大して抜き出して図示している。図３の三段目に示すように、本例では、時刻０：００：００ちょうどが、第１の通信周期の１回目の送信タイミングＴＭ１１となり、その１秒後の時刻０：００：０１が２回目の送信タイミングＴＭ１２となる。
【００８２】
本実施形態では、図３の例に示すように、第２の通信周期が第１の通信周期よりも長い。そのため、データ量の大きい第２の生体情報を、短い通信周期で、連続して送信し続けるといった処理を行わなくて済む。その結果、生体情報測定装置１００から情報処理装置２００へ第２の生体情報を送信しつつも、ＢＬＥの省電力性を維持すること等が可能になる。
【００８３】
また、図３のような送信タイミングに通信を行うために、通信部１５０は、時刻出力部１７０により出力される時刻に基づいて、第２の生体情報の送信タイミングを判定し、判定された送信タイミングに第２の生体情報を送信する。
【００８４】
これにより、所与の通信周期でデータの送受信を行うこと等が可能になる。
【００８５】
また本例では、第１の生体情報の検出周期は、第１の通信周期と同じ１秒間隔に設定されている。そのため、情報処理装置２００は、受信した第１の生体情報を、受信した時刻に検出された情報であるとみなすことができる。そして、第１の通信周期は十分に短いため、そのようにみなしても問題になることはない。
【００８６】
これに対し、第２の生体情報の検出周期は、第２の通信周期よりも短い周期であることが多い。例えば、第２の生体情報の検出周期は、第１の生体情報の検出周期と同じ周期である。そのため、第２の生体情報だけを第２の通信周期で送信しても、情報処理装置２００は、受信した第２の生体情報がいつ検出された情報かを判定することができない。
【００８７】
そこで、生体情報測定装置１００の記憶部１９０は、時刻出力部１７０から出力される測定時刻に関連付けて、第２の生体情報を時刻情報と対応付けて（ロギングして又は時刻情報と関連付けて）、記憶しておく。なお、測定時刻は、生体情報を検出したタイミングに時刻出力部１７０から出力された時刻である。
【００８８】
これにより、情報処理装置２００が、受信した第２の生体情報の測定時刻を特定すること等が可能になる。
【００８９】
また、記憶部１９０は、第２の生体情報だけではなく、第１の生体情報も測定時刻に関連付けて（ロギングして）記憶してもよい。そして、例えば生体情報測定装置１００と情報処理装置２００の通信が切断され、再接続した後に、通信部１５０は、通信の切断中に記憶部１９０に記憶された未送信の第１の生体情報を、独自プロファイルに従って、情報処理装置２００に送信してもよい。この際に、通信部１５０は、第１の生体情報だけでなく、第１の生体情報に関連付けて記憶されている測定時刻も併せて送信してもよい。つまり、第２の生体情報は、記憶部１９０に蓄積された第１の生体情報を含んでいてもよい。
【００９０】
これにより、情報処理装置２００との通信が切断されている間に検出された第１の生体情報を、再接続後にまとめて送信すること等が可能になり、さらに情報処理装置２００が、通信の切断中に検出された第１の生体情報の測定時刻を特定すること等が可能になる。
【００９１】
さて、前述したように、生体情報測定装置１００で計測して記録された第２の生体情報は、生体情報測定装置１００から情報処理装置２００（スマートフォン）へ送信された後に、情報処理装置２００からＷｅｂサーバーへ送信される。
【００９２】
具体的には、図３を用いて説明したように、生体情報測定装置１００は、毎正時到達時点で、過去１時間分の第２の生体情報を情報処理装置２００へ送信する。そして、情報処理装置２００は、生体情報測定装置１００から第２の生体情報を受信した後に、Ｗｅｂサーバーに第２の生体情報をアップロードする。
【００９３】
この際に、市場で使用されている全ての情報処理装置２００から、同じタイミングでＷｅｂサーバーに対してアップロードが行われてしまうため、Ｗｅｂサーバーへの負荷集中が発生し、重大な障害が発生する危険性がある。
【００９４】
そこで、本実施形態では、第２の生体情報の送信タイミングを生体情報測定装置１００毎にずらす。これにより、情報処理装置２００が同じタイミングに一斉に、第２の生体情報をＷｅｂサーバーにアップロードしてしまうことを防ぐ。
【００９５】
具体的には、生体情報測定装置１００の通信部１５０が、機器固有情報に基づいて、生体情報の送信タイミングの遅延時間を求める。そして、通信部１５０は、時刻出力部１７０から出力された時刻に基づいて、第１の送信タイミングを求め、第１の送信タイミングから、求めた遅延時間だけ遅延した第２の送信タイミングにおいて、生体情報（第２の生体情報）を送信する。
【００９６】
そして、情報処理装置２００の通信部２１０は、第２の送信タイミングにおいて生体情報（第２の生体情報）を受信する。
【００９７】
ここで、機器固有情報としては、生体情報測定装置１００の製造時に固体毎に付与されるユニークな回路ＩＤを用いる。そして、回路ＩＤを下式（１）で表されるハッシュ関数へ入力して、遅延時間ＤＴを算出する。なお、下式（１）のＩＮは、回路ＩＤを表し、ＤＴは遅延時間を表す。本例の場合には、これにより、０〜５９９秒の遅延時間を生成できる。
【００９８】
【数１】
2015119909.tif 000003
【００９９】
また、第１の送信タイミングは、例えば毎正時であり、図４では、タイミングＴＭ２１〜タイミングＴＭ２３のことである。
【０１００】
そして、第２の送信タイミングとして、求めた遅延時間ＤＴだけ、第１の送信タイミングから遅延した時刻を求める。具体的に、図４の例では、タイミングＴＭ３１〜タイミングＴＭ３３が、第２の送信タイミングとなる。
【０１０１】
以上のように、回路ＩＤ（機器固有情報）は生体情報測定装置１００毎に異なる情報であるため、上記のハッシュ関数により算出された遅延時間ＤＴは分散した値となる。
【０１０２】
これにより、情報処理装置２００へ第２の生体情報を送信するタイミングが分散するため、情報処理装置２００がＷｅｂサーバーへ第２の生体情報を送信するタイミングも分散させることが可能になる。したがって、Ｗｅｂサーバーへの負荷分散を実現することが可能となる。
【０１０３】
次に、図５のシーケンス図を用いて、本実施形態の処理の流れについて説明する。
【０１０４】
まず、１秒周期で、生体情報測定装置１００のセンサー部１１０が、センサー情報を検出し（Ｓ１０１）、センサー情報を処理部１３０へ通知する（Ｓ１０２）。
【０１０５】
次に、処理部１３０が、センサー情報に基づいて、第１の生体情報と第２の生体情報を検出する（Ｓ１０３）。そして、記憶部１９０は、処理部１３０から第２の生体情報を取得し（Ｓ１０４）、時刻出力部１７０から得られる第２の生体情報の測定時刻に関連付けて、第２の生体情報を記憶する（Ｓ１０５）。
【０１０６】
一方で、通信部１５０は、処理部１３０から第１の生体情報を取得し（Ｓ１０６）、第１の生体情報をＢＬＥの標準プロファイルに従って、情報処理装置２００の通信部２１０へ送信する（Ｓ１０７）。そして、情報処理装置２００の処理部２３０は、第１の生体情報を通信部２１０から取得し（Ｓ１０８）、各種処理を行う。なお、ステップＳ１０４〜ステップＳ１０５と、ステップＳ１０６〜ステップＳ１０８は、順番が逆であってもよいし、並列に行ってもよい。以上が、第１の生体情報の送受信処理の一連の流れである。このステップＳ１０１〜ステップＳ１０８の処理は、第１の通信周期（第１の検出周期）毎に行う。
【０１０７】
次に、情報処理装置２００の処理部２３０は、第２の生体情報を受信する前に、第１の通信速度から第１の通信速度よりも速い第２の通信速度へと、通信速度の変更を指示する。つまり、処理部２３０は、第２の通信速度への通信速度変更指示を通信部２１０へ通知する（Ｓ１０９）。ここで、第１の通信速度は、ステップＳ１０７における第１の生体情報の送信時における通信速度である。
【０１０８】
そして、情報処理装置２００の通信部２１０は、生体情報測定装置１００の通信部１５０へ、通信速度変更指示を送信する（Ｓ１１０）。
【０１０９】
一方、生体情報測定装置１００の通信部１５０は、受信した通信速度変更指示に基づいて、通信速度を変更する（Ｓ１１１）。つまり、通信部１５０は、第２の生体情報を送信する前に、第１の通信速度から第１の通信速度よりも速い第２の通信速度へと、通信速度を変更する（Ｓ１１１）。
【０１１０】
そして、通信部１５０は、記憶部１９０から測定時刻と共に第２の生体情報を取得する（Ｓ１１２）。さらに、通信部１５０は、前述した第２の送信タイミングにおいて、図９等を用いて後に詳述する独自プロファイルのアップロードシーケンスにより、第２の生体情報を情報処理装置２００の通信部２１０へ送信する（Ｓ１１３）。そして、情報処理装置２００の処理部２３０は、通信部２１０から第２の生体情報を取得する（Ｓ１１４）。
【０１１１】
そして、処理部２３０は、第２の生体情報の送信完了後に、第２の通信速度よりも遅い第３の通信速度へと、通信速度の変更を指示する（Ｓ１１５）。つまり、処理部２３０は、第３の通信速度への通信速度変更指示を通信部２１０へ通知する（Ｓ１１５）。ここで、第３の通信速度は、第１の通信速度と同じ通信速度であってもよい。
【０１１２】
そして、情報処理装置２００の通信部２１０は、生体情報測定装置１００の通信部１５０へ、通信速度変更指示を送信する（Ｓ１１６）。
【０１１３】
これに対し、生体情報測定装置１００の通信部１５０は、受信した通信速度変更指示に基づいて、通信速度を変更する（Ｓ１１７）。つまり、通信部１５０は、第２の生体情報の送信完了後に、第２の通信速度よりも遅い第３の通信速度へと、通信速度を変更する（Ｓ１１７）。以上が、第２の生体情報の送受信処理の一連の流れである。なお、このステップＳ１０９〜ステップＳ１１７の処理は、第２の通信周期毎に行う。
【０１１４】
このように、独自プロファイルに従って通信を行う間だけ通信速度を上げつつ、独自プロファイルによらないで通信を行う際には通信速度を下げるため、省電力性を維持すること等が可能になる。
【０１１５】
また、独自プロファイルに従って生体情報を送信する際には、以下のような処理が行われる。
【０１１６】
まず、生体情報測定装置１００の通信部１５０が、第２の送信タイミングにおいて、生体情報を送信可能である場合には、生体情報を送信可能になったことの通知を情報処理装置２００へ送信する。
【０１１７】
そして、情報処理装置２００の処理部２３０は、第２の生体情報が送信可能になったことの通知を、生体情報測定装置１００から通信部２１０が受信した場合に、生体情報測定装置１００に対して、第２の生体情報の送信開始を指示する。その際には、通信部２１０が、送信開始指示を生体情報測定装置１００へ送信する。
【０１１８】
以降の処理は、後に詳述する図９のＴ１０１以降と同様である。具体的には、通信部１５０が、情報処理装置２００から送信開始指示を受信した場合に、アクノリッジ付きリードのプロパティが与えられた第３のキャラクタリスティックで、生体情報のアップロードデータサイズを情報処理装置２００へ送信して、生体情報の送信を開始する。
【０１１９】
３．独自プロファイルに基づく通信方法
次に、本実施形態の独自プロファイルに基づく通信方法の詳細について説明する。
【０１２０】
３．１．システム構成例
まず、図６（Ａ）に本実施形態の情報処理装置１０の構成例を示す。本実施形態の情報処理装置１０は、情報を取得する情報取得部１１と、近接無線通信により外部装置５０と通信を行う通信部１３と、を含む。なお、情報処理装置１０は、前述した図１の生体情報測定装置１００に相当し、外部装置５０は、前述した図１の情報処理装置２００に相当する。例えば、本実施形態の情報処理装置１０は、ヘルスケアデバイスにより実現される。そして、情報取得部１１及び通信部１３の機能は、各種プロセッサー（ＣＰＵ等）、ＡＳＩＣ（ゲートアレイ等）などのハードウェアや、プログラムなどにより実現できる。また、情報処理装置１０の構成は、図６（Ａ）の構成に限定されず、これらの一部の構成要素を省略したり、他の構成要素を追加したりするなどの種々の変形実施が可能である。但し、情報処理装置１０の一部又は全部の機能は、外部装置５０と通信により接続されたサーバーにより実現されてもよい。
【０１２１】
３．２．プロパティ
ＢＬＥでは、各キャラクタリスティック（Characteristic）に対して、それぞれプロパティ（Property）が与えられている。プロパティとは、そのキャラクタリスティックを用いてデータの送受信を行う際の一連の通信シーケンスの種別を定めるもののことであり、大きく分類して、ライト（Write）とリード（Read）がある。
【０１２２】
まず、リードとは、サーバー（又はホスト、本例ではヘルスケアデバイス）がクライアント（ペリフェラル、本例ではスマートデバイス）へ、データを送信する際のキャラクタリスティックに与えられるプロパティである。さらに、リードには、アクノリッジ（Acknowledge：ＡＣＫ）付きリードと、アクノリッジなしリードがある。前述した非特許文献１の仕様書に記載される言葉で言い換えれば、アクノリッジ付きリードとは、インディケイト（Indicate）のことであり、アクノリッジなしリードは、ノーティフィケーション（Notification）のことである。
【０１２３】
そして、アクノリッジ付きリードが与えられたキャラクタリスティックで、サーバーからクライアントへデータを送信し、クライアントがデータを正常に受信した場合には、同一のキャラクタリスティックで、クライアントからサーバーへ、アクノリッジを返す。
【０１２４】
一方、アクノリッジなしリードが与えられたキャラクタリスティックで、サーバーからクライアントへデータを送信した場合には、データ受信の成否に関わらず、クライアントからサーバーへアクノリッジを返す必要はない。
【０１２５】
また、ライトとは、リードとは逆に、クライアントからサーバーへ、データを送信する際のキャラクタリスティックに与えられるプロパティである。
【０１２６】
さらに、ライトには、リード同様に、アクノリッジ付きライトと、アクノリッジなしライトがある。前述した非特許文献１の仕様書に記載される言葉で言い換えれば、アクノリッジ付きライトは、ライトウィズレスポンス（Write With Response）、又はライトウィズアクノリッジ（Write With Acknowledge）であり、アクノリッジなしライトは、ライトウィズノーレスポンス（Write With No Response）、又はライトウィズノーアクノリッジ（Write With No Acknowledge）のことである。
【０１２７】
そして、アクノリッジ付きライトが与えられたキャラクタリスティックで、クライアントからサーバーへデータを送信し、サーバーがデータを正常に受信した場合には、同一のキャラクタリスティックで、サーバーからクライアントへ、アクノリッジを返す。
【０１２８】
一方、アクノリッジなしライトが与えられたキャラクタリスティックで、クライアントからサーバーへデータを送信した場合には、データ受信の成否に関わらず、サーバーからクライアントへアクノリッジを返す必要はない。
【０１２９】
３．３．アップロードシーケンス
次に、独自プロファイルを用いたアップロードシーケンスについて説明する。まず、本例の通信システムを、図６（Ｂ）に図示する。本例の通信システムは、情報を取得する第１の情報処理装置８０と、近接無線通信により第１の情報処理装置８０と通信を行う第２の情報処理装置９０と、を含む。なお、第１の情報処理装置８０は、前述した情報処理装置１０（サーバー、例えば、ヘルスケアデバイス又は生体情報測定装置、測定機器）に相当し、第２の情報処理装置９０は、前述した外部装置５０（クライアント、例えば、スマートフォン又はその他のスマートデバイス）に相当する。
【０１３０】
本実施形態では、このような通信システムにおいて、第１の情報処理装置８０の通信部１３が、情報取得部１１により取得された情報のデータを、複数のパケットにより構成される複数のブロックに分割する（ブロック分割する）。
【０１３１】
本実施形態の独自プロファイルでは、データの単位として、複数のパケットにより構成されるブロックという単位を規定する。例えば、３２個までのパケットをひとまとまりとするブロックの具体例を、図７に示す。図７に示すブロック１及びブロック２は、パケット０〜パケット３１を含み、ブロック３は、パケット０〜パケット１９を含む。このように、図７に示す各ブロックが含むことができる最大パケット数は、３２個であるが、各ブロックに含まれるパケット数は、必ずしも最大パケット数でなくてもよい。なお、以下の例及び後述する図９〜図１２のシーケンス図では、図７に示すブロック１〜ブロック３を転送する場合を例に説明を行う。
【０１３２】
また、パケットとしては、図８に示すものを用いる。具体的には、パケットは、２ｂｙｔｅのパケット識別子と、１８ｂｙｔｅのデータ部（ペイロード）から構成される。データ部には、情報取得部１１により取得された情報のデータそのものが、分割して格納される。そして、パケット識別子には、開始ビットと、終了ビットと、シーケンス番号と、パケット有効サイズとが含まれる。
【０１３３】
まず、開始ビットは、送信したいデータ全体の最初のパケットである場合に１が設定され、そうでない場合には０が設定されるビットである。例えば、図７の例では、ブロック１に含まれるパケット０の開始ビットが１になり、その他のパケットの開始ビットが全て０になる。
【０１３４】
次に、終了ビットは、送信したいデータ全体の最後のパケットである場合に１が設定され、そうでない場合には０が設定されるビットである。例えば、図７の例では、ブロック３に含まれるパケット１９の終了ビットが１になり、その他のパケットの終了ビットが全て０になる。
【０１３５】
そして、シーケンス番号は、各ブロックに含まれるパケットの順番を示す番号である。例えば、ブロック０に含まれるパケット０のシーケンス番号は０であり、ブロック０に含まれるパケット１のシーケンス番号は１となる。また、本例では、ブロック毎に連番でシーケンス番号を割り振るため、ブロック１に含まれるパケット０のシーケンス番号と、ブロック２に含まれるパケット０のシーケンス番号もまた０となる。
【０１３６】
さらに、パケット有効サイズは、データ部に含まれる有効データのサイズである。本例では、データ部が１８ｂｙｔｅであるため、最大のパケット有効サイズは１８ｂｙｔｅであるが、設定されるパケット有効サイズは必ずしも最大値である必要はない。例えば、パケット有効サイズが１８ｂｙｔｅ未満である場合には、残りのビットを全て０にしておき、パケット全体のサイズを２０ｂｙｔｅに揃える。
【０１３７】
そして、本実施形態では、通信部１３が、このような複数のブロックをブロック毎に第２の情報処理装置９０へ送信するが、この際には各ブロックに含まれる複数のパケットを連続して送信することになる。
【０１３８】
この際、仮に第２の情報処理装置９０が各パケットを受信する度に、第１の情報処理装置８０へアクノリッジを送信する場合には、第１の情報処理装置８０は、パケットを送信する度に応答を待つことになる。そのため、全てのデータの送信を完了するまでに時間がかかる。このことは、通信速度が低下することに等しい。
【０１３９】
そこで、本実施形態では、通信部１３（前述した通信部１５０）が、アクノリッジなしリードのプロパティが与えられた第１のキャラクタリスティックで、複数のブロックを例えばブロック毎に送信する。つまり、通信部１３は、ブロック１のパケット０〜パケット３１までを、第２の情報処理装置９０からの応答を待たずに、第１のキャラクタリスティックで連続して送信する。
【０１４０】
これに対し、第２の情報処理装置９０は、第１のキャラクタリスティックで複数のブロック（の各ブロック）を受信し、（各）ブロックの受信結果を、アクノリッジ付きライトのプロパティが与えられた第２のキャラクタリスティックで第１の情報処理装置８０へ送信する。つまり、第２の情報処理装置９０は、パケット毎にアクノリッジを送信するのではなく、ブロック毎にその受信結果（アクノリッジ）を送信する。
【０１４１】
そして、第１の情報処理装置８０の通信部１３は、外部装置５０（第２の情報処理装置９０、又は前述した情報処理装置２００）における（各）ブロックの受信結果を第２のキャラクタリスティックで受信する。
【０１４２】
さらに、通信部１３は、受信結果として、（各）ブロックの送信に対するアクノリッジを、第２のキャラクタリスティックで受信した場合には、外部装置５０（第２の情報処理装置９０）による（各）ブロックの受信が成功したと判定する。なお、第２のキャラクタリスティックには、アクノリッジ付きライトのプロパティが与えられているため、通信部１３はこの後に、ブロックの受信結果を正常に受信したことを示すアクノリッジを、第２のキャラクタリスティックでさらに返送する。
【０１４３】
以上のように、第１の情報処理装置８０が第２の情報処理装置９０へ情報をブロック毎に送信し、第１の情報処理装置８０が第２の情報処理装置９０から、ブロック毎にその受信結果を受信する。つまり、第１の情報処理装置８０が１回受信結果を受信するだけで、複数のパケット送信の成否を判定すること等が可能になる。そのため、応答待ち時間を削減して、各ブロックの転送時間を短くすることが可能である。
【０１４４】
また、前述したように、各パケットには、シーケンス番号が割り振られているため、受信後に各パケットのデータ部に格納されているデータを、シーケンス番号順に繋ぎ合わせて、元のデータを復元することが可能である。
【０１４５】
よって、近接無線通信の標準プロファイルにより送受信可能な第１のデータ量よりも大きい第２のデータ量のデータを、近接無線通信により送受信することが可能となる。
【０１４６】
次に、図９のシーケンス図を用いて、アップロードシーケンスの具体的な処理の流れを説明する。図９の具体例では、測定機器（第１の情報処理装置８０）からスマートフォン（第２の情報処理装置９０）へ、図７のブロック１〜ブロック３を送信する。
【０１４７】
まず、通信部１３は、情報を送信可能な状態になった場合に、アクノリッジ付きリード（Indicate）のプロパティが与えられた第３のキャラクタリスティックで、情報のアップロードデータサイズを外部装置５０へ送信する（Ｔ１０１）。
【０１４８】
具体的には、第３のキャラクタリスティックとして、Upload Data Sizeという名前のキャラクタリスティックを用い、ブロック１のデータサイズが６４０Ｂｙｔｅであることと、ブロック２のデータサイズが６４０Ｂｙｔｅであることと、ブロック３のデータサイズが４００Ｂｙｔｅであることを、測定機器からスマートフォンへ送信する（Ｔ１０１）。
【０１４９】
そして、スマートフォンの通信部は、アップロードデータサイズを正常に受信できた場合には、同じUpload Data Sizeのキャラクタリスティックで、アクノリッジを測定機器へ送信する（Ｔ１０２）。
【０１５０】
これにより、データの送信を開始することと、アップロードデータサイズとを通知すると共に、外部装置５０が送信開始を了解した旨を受信すること等が可能になる。
【０１５１】
次に、前述したように、測定機器の通信部１３は、Upload Dataという名前の第１のキャラクタリスティックで、ブロック１を送信する（Ｔ１０３）。このUpload Dataには、アクノリッジなしリード（Notification）のプロパティが与えられているため、前述したように、スマートフォンが測定機器側からパケットを受信する度に、アクノリッジを送信する必要はない。
【０１５２】
そのため、スマートフォンの通信部は、ブロック１の受信後に、Upload Orderという名前の第２のキャラクタリスティックで、ブロック１を正常に受信したことを示すアクノリッジ（ブロック１の受信結果）を送信する（Ｔ１０４）。なお、本例は、ブロック１に含まれるパケット０〜パケット３１を全て正常に受信できた場合である。さらに、このUpload Orderには、アクノリッジ付きライト（Write With Response）のプロパティが与えられているため、測定機器の通信部１３は、受信結果を正常に受信できた場合には、さらにアクノリッジを返送する（Ｔ１０５）。
【０１５３】
次に、ブロック２の送受信についても同様に、測定機器の通信部１３が、Upload Dataでブロック２を送信する（Ｔ１０６）。そして、スマートフォンの通信部が、Upload Orderのキャラクタリスティックで受信結果を送信し（Ｔ１０７）、これに対して測定機器がアクノリッジを返送する（Ｔ１０８）。ブロック３の送受信についても同様である（Ｔ１０９〜Ｔ１１１）。
【０１５４】
以上の図９の例では、ブロック１〜ブロック３をそれぞれ一度の送信で正常に受信できていたが、中には各ブロックを正常に受信できないこともある。その際には、ブロックの再送を行うが、その時の処理の流れを図１０のシーケンス図に示す。なお、Ｔ２０１〜Ｔ２０３は、図９のＴ１０１〜Ｔ１０３と同様であるため、説明を省略する。
【０１５５】
本例では、Ｔ２０３において、ブロック１に含まれるシーケンス番号０ｘ００のパケット０〜シーケンス番号０ｘ１Ｆのパケット３１を、測定機器の通信部１３が送信した結果、スマートフォンがシーケンス番号０ｘ０９のパケット９の受信を失敗してしまったものとする。
【０１５６】
この場合には、スマートフォンの通信部は、受信に失敗した最初のパケットのシーケンス番号（ここでは、０ｘ０９）を、前述したUpload Orderのキャラクタリスティックで、で測定機器へ送信する（Ｔ２０４）。これに対し、測定機器の通信部１３は、シーケンス番号を正常に受信できた場合には、アクノリッジを返送する（Ｔ２０５）。
【０１５７】
そして、通信部１３は、（各）ブロックの受信結果として、送信した（各）ブロックに含まれる複数のパケットのうちのいずれかのパケットを示すシーケンス番号を、第２のキャラクタリスティック（Upload Order）で受信した場合には、複数のパケットのうち、シーケンス番号に対応するパケットから再送を行う（Ｔ２０６）。
【０１５８】
つまり、本例では通信部１３が、シーケンス番号０ｘ０９を受信したため、シーケンス番号０ｘ０９以降のパケット、すなわちシーケンス番号０ｘ０９のパケット９〜シーケンス番号０ｘ１Ｆのパケット３１を、Upload Dataのキャラクタリスティックで再送する（Ｔ２０６）。
【０１５９】
これにより、各ブロックに含まれる複数のパケットを全て再送するのではなく、パケットの受信失敗が発生した後のパケットだけを送信すること等が可能になる。
【０１６０】
なお、本例では、例えばシーケンス番号０ｘ０Ａ以降のパケットを、スマートフォンが正常に受信できていたとしても、シーケンス番号０ｘ０９以降のパケットを全て再送する。これにより、再送要求時に、スマートフォンから測定機器に送信するデータ量を抑えることが可能となる。
【０１６１】
そして、ブロック１を再送し、スマートフォンの通信部が、再送したパケットを全て正常に受信できた場合には、Upload Orderのキャラクタリスティックで受信結果を測定機器へ送信し（Ｔ２０７）、測定機器の通信部１３がアクノリッジを返送する（Ｔ２０８）。以降の処理の流れについては、図９のＴ１０６以降と同様である。
【０１６２】
３．４．ダウンロードシーケンス
次に、独自プロファイルを用いたダウンロードシーケンスについて説明する。まず、本例の通信システムを、図６（Ｂ）に図示する。本例の通信システムは、情報を取得する第１の情報処理装置８０と、近接無線通信により第１の情報処理装置８０と通信を行う第２の情報処理装置９０と、を含む。なお、第１の情報処理装置８０は、前述した外部装置５０（クライアント、例えば、スマートフォン又はその他のスマートデバイス）に相当し、第２の情報処理装置９０は、前述した情報処理装置１０（サーバー、例えば、ヘルスケアデバイス又は生体情報測定装置、測定機器）に相当する。
【０１６３】
このようにダウンロードシーケンスでは、前述したアップロードシーケンスと、サーバーとクライアントが行う役割が逆になっている。ただし、データをブロック単位でまとめて送信し、ブロック単位の受信結果を１回で返送するという点については変わらない。そのため、重複する部分については、記載を適宜省略する。なお、以下で用いる第１のキャラクタリスティック〜第３のキャラクタリスティックは、アップロードシーケンスの説明で述べたものとは異なるキャラクタリスティックであるものとする。
【０１６４】
具体的に、本実施形態のダウンロードシーケンスでは、第１の情報処理装置（スマートフォン）が、前述した図７のように、送信したい情報のデータを、複数のパケットにより構成される複数のブロックに分割する。次に、第１の情報処理装置は、アクノリッジなしライトのプロパティが与えられた第１のキャラクタリスティックで、第２の情報処理装置（測定機器）へ複数のブロックを、例えばブロック毎に送信する。
【０１６５】
そして、第２の情報処理装置の通信部１３は、第１のキャラクタリスティックで、複数のブロックを例えばブロック毎に受信する。さらに、通信部１３は、各ブロックの受信結果を、アクノリッジ付きリードのプロパティが与えられた第２のキャラクタリスティックで、第１の情報処理装置へ送信し、第１の情報処理装置が、第２のキャラクタリスティックで受信結果を受信する。
【０１６６】
これにより、アップロードシーケンスと同様に、第２の情報処理装置がパケットを受信する度に、逐次アクノリッジを返送する必要がなくなるため、各ブロックの送信を完了するまでの時間を短縮することができる。
【０１６７】
また、各ブロックの各パケットにはシーケンス番号が割り振られているため、アップロードシーケンスと同様の原理で、近接無線通信の標準プロファイルにより送受信可能な第１のデータ量よりも大きい第２のデータ量のデータを、近接無線通信により送受信することが可能となる。
【０１６８】
次に、図１１のシーケンス図を用いて、アップロードシーケンスの具体的な処理の流れを説明する。図１１の具体例では、スマートフォン（第１の情報処理装置８０）から測定機器（第２の情報処理装置９０）へ、図７のブロック１〜ブロック３を送信する。
【０１６９】
まず、スマートフォンの通信部は、情報を送信可能な状態になった場合に、アクノリッジ付きライト（Write With Response）のプロパティが与えられた第３のキャラクタリスティックで、情報のダウンロードデータサイズを測定機器へ送信する（Ｔ３０１）。
【０１７０】
具体的には、第３のキャラクタリスティックとして、Download Data Sizeという名前のキャラクタリスティックを用い、ブロック１のデータサイズが６４０Ｂｙｔｅであることと、ブロック２のデータサイズが６４０Ｂｙｔｅであることと、ブロック３のデータサイズが４００Ｂｙｔｅであることを、スマートフォンから測定機器へ送信する（Ｔ３０１）。
【０１７１】
そして、測定機器の通信部１３は、ダウンロードデータサイズを正常に受信できた場合には、同じDownload Data Sizeのキャラクタリスティックで、アクノリッジをスマートフォンへ送信する（Ｔ３０２）。
【０１７２】
これにより、データの送信が開始されることと、ダウンロードデータサイズとを測定機器が受信できると共に、測定機器が送信開始を了解した旨をスマートフォンに通知すること等が可能になる。
【０１７３】
次に、前述したように、スマートフォンの通信部は、Download Dataという名前の第１のキャラクタリスティックで、ブロック１を送信する（Ｔ３０３）。このDownload Dataには、アクノリッジなしライト（Write With No Response）のプロパティが与えられているため、前述したように、測定機器がスマートフォンからパケットを受信する度に、アクノリッジを送信する必要はない。
【０１７４】
そのため、測定機器の通信部１３は、ブロック１の受信後に、Download Orderという名前の第２のキャラクタリスティックで、ブロック１を正常に受信したことを示すアクノリッジ（ブロック１の受信結果）を送信する（Ｔ３０４）。なお、本例は、ブロック１に含まれるパケット０〜パケット３１を全て正常に受信できた場合である。さらに、このDownload Orderには、アクノリッジなしリード（Indicate）のプロパティが与えられているため、スマートフォンの通信部は、受信結果を正常に受信できた場合には、さらにDownload Orderのキャラクタリスティックでアクノリッジを返送する（Ｔ３０５）。
【０１７５】
次に、ブロック２の送受信についても同様に、スマートフォンの通信部が、Download Dataのキャラクタリスティックで、ブロック２を送信する（Ｔ３０６）。そして、測定機器の通信部１３が、Download Orderのキャラクタリスティックで、受信結果を送信し（Ｔ３０７）、これに対してスマートフォンがアクノリッジを返送する（Ｔ３０８）。ブロック３の送受信についても同様である（Ｔ３０９〜Ｔ３１１）。
【０１７６】
また、アップロードシーケンスと同様にダウンロードシーケンスでも、測定機器の通信部１３が各ブロックを正常に受信できず、スマートフォンがブロックの再送を行う場合がある。その時の処理の流れを図１２のシーケンス図に示す。なお、Ｔ４０１〜Ｔ４０３は、図１１のＴ３０１〜Ｔ３０３と同様であるため、説明を省略する。
【０１７７】
本例では、Ｔ４０３において、ブロック１に含まれるシーケンス番号０ｘ００のパケット０〜シーケンス番号０ｘ１Ｆのパケット３１を、スマートフォンの通信部が送信した結果、測定機器の通信部１３がシーケンス番号０ｘ０７のパケット７の受信を失敗してしまったものとする。
【０１７８】
この場合には、測定機器の通信部１３は、送信された（各）ブロックに含まれる複数のパケットのうち、受信に失敗したパケットに対応するシーケンス番号を、受信結果として、第２のキャラクタリスティックで送信する（Ｔ４０４）。具体的には、測定機器の通信部１３は、受信に失敗した最初のパケットのシーケンス番号（ここでは、０ｘ０７）を、前述したDownload Orderのキャラクタリスティックで、スマートフォンへ送信する（Ｔ４０４）。
【０１７９】
これにより、受信に失敗した最初のパケットのシーケンス番号を、スマートフォン（外部装置５０）へ通知すること等が可能になる。
【０１８０】
これに対し、スマートフォンの通信部は、シーケンス番号を正常に受信できた場合に、アクノリッジを返送する（Ｔ４０５）。
【０１８１】
次に、スマートフォンの通信部は、複数のパケットのうち、受信したシーケンス番号に対応するパケットから再送を行う（Ｔ４０６）。具体的に、本例ではスマートフォンの通信部が、シーケンス番号０ｘ０７を受信したため、シーケンス番号０ｘ０７以降のパケット、すなわちシーケンス番号０ｘ０７のパケット７〜シーケンス番号０ｘ１Ｆのパケット３１を、Download Dataのキャラクタリスティックで再送する（Ｔ４０６）。
【０１８２】
これに対し、測定機器の通信部１３は、受信結果として、受信した（各）ブロックに含まれる複数のパケットのうちのいずれかのパケットを示すシーケンス番号を、第２のキャラクタリスティックで送信した場合には（Ｔ４０４）、シーケンス番号に対応するパケットから複数のパケットを再度受信する（Ｔ４０６）。
【０１８３】
これにより、各ブロックに含まれる複数のパケットを全て再度受信するのではなく、パケットの受信失敗が発生した後のパケットだけを再度受信すること等が可能になる。なお、本例では、アップロードシーケンスと同様に、例えばシーケンス番号０ｘ０８以降のパケットを、測定機器が正常に受信できていたとしても、シーケンス番号０ｘ０７以降のパケットを全て再度受信するものとする。
【０１８４】
そして、ブロック１を再度受信し、測定機器の通信部１３が、再送したパケットを全て正常に受信できた場合には、Download Orderのキャラクタリスティックで受信結果を測定機器へ送信し（Ｔ４０７）、スマートフォンの通信部がアクノリッジを返送する（Ｔ４０８）。以降の処理の流れについては、図１１のＴ３０６以降と同様である。
【０１８５】
また、以上で説明したダウンロードシーケンスに従って、ヘルスケアデバイスとスマートフォンで近接無線通信を行えば、スマートフォンを介して、ヘルスケアデバイスのファームウェアをアップデートすること等も可能になる。
【０１８６】
３．５．通信速度変更シーケンス
次に、通信速度変更シーケンスについて、図１３のシーケンス図を用いて説明する。通信速度変更シーケンスは、アップロード及びダウンロードの両方に対して、同じシーケンスにより行われる。
【０１８７】
まず、スマートフォンの通信部が、アクノリッジ付きライトのプロパティが与えられた第４のキャラクタリスティックで、通信速度変更指示を測定機器へ送信する（Ｔ５０１）。本例では、第４のキャラクタリスティックとして、Control Pointという名前のキャラクタリスティックを用いる。
【０１８８】
この通信速度変更指示は、変更後の通信速度を表す情報であってもよいし、例えば、あらかじめ設定されている低速モード及び高速モードを切り替えるために用いるモード切り替え情報などであってもよい。なお、通信速度変更指示としてモード切り替え情報を用いる場合には、低速モードでの通信速度と、高速モードでの通信速度は、予め設定されているものとする。
【０１８９】
これに対し、測定機器の通信部１３は、アクノリッジ付きライトのプロパティが与えられた第４のキャラクタリスティック（Control Point）で、通信速度変更指示を受信し（Ｔ５０１）、通信速度変更指示を正常に受信したことを示すアクノリッジを、Control Pointで返送する（Ｔ５０２）。
【０１９０】
そして、通信部１３は、受信した通信速度変更指示に基づいて通信速度を変更し、アクノリッジ付きリード（Indicate）のプロパティが与えられた第５のキャラクタリスティックで、通信速度変更完了通知を送信する（Ｔ５０３）。本例では、第５のキャラクタリスティックとして、Data Eventという名前のキャラクタリスティックを用いる。
【０１９１】
最後に、スマートフォンの通信部が、通信速度変更完了通知を正常に受信できた場合には、そのことを示すアクノリッジをData Eventで返送して（Ｔ５０４）、処理を終了する。
【０１９２】
これにより、受信した通信速度変更指示が示す通信速度で通信を行うこと等が可能になる。
【０１９３】
４．生体情報測定装置の構成例
図１４（Ａ）、図１４（Ｂ）、図１５に本実施形態の生体情報測定装置（生体情報検出装置）の外観図を示す。図１４（Ａ）は生体情報測定装置を正面方向側から見た図であり、図１４（Ｂ）は上方向側から見た図であり、図１５は側面方向側から見た図である。
【０１９４】
図１４（Ａ）〜図１５に示すように本実施形態の生体情報測定装置は、バンド部５１０とケース部５３０とセンサー部１１０を有する。ケース部５３０は、バンド部５１０に取り付けられる。センサー部１１０は、ケース部５３０に設けられる。また、生体情報測定装置は前述した図１に示すように、処理部１３０と、通信部１５０と、時刻出力部１７０と、記憶部１９０と、を有し、これらはケース部５３０に設けられる。なお、本実施形態の生体情報測定装置は図１４（Ａ）〜図１５等の構成に限定されず、その構成要素の一部を省略したり、他の構成要素に置き換えたり、他の構成要素を追加するなどの種々の変形実施が可能である。
【０１９５】
バンド部５１０は、ユーザーの手首に巻き付けて生体情報測定装置を装着するためのものである。バンド部５１０は、穴部５１２、バックル部５１４を有する。バックル部５１４はバンド挿入部５１５と突起部５１６を有する。ユーザーは、バンド部５１０の一端側を、バックル部５１４のバンド挿入部５１５に挿入し、バンド部５１０の穴部５１２にバックル部５１４の突起部５１６を挿入することで、生体情報測定装置を手首に装着することができる。この場合、どの穴部５１２に突起部５１６を挿入するかに応じて、センサー部１１０への押圧（手首表面に対する押圧）の大きさが調整される。
【０１９６】
ケース部５３０は、生体情報測定装置の本体部に相当するものである。ケース部５３０の内部には、センサー部１１０、処理部１３０等の生体情報測定装置の種々の構成部品が設けられる。即ち、ケース部５３０は、これらの構成部品を収納する筐体である。
【０１９７】
ケース部５３０には発光窓部５３２が設けられている。発光窓部５３２は透光部材により形成されている。そしてケース部５３０には、フレキシブル基板に実装された発光部（ＬＥＤ）が設けられており、この発光部からの光が、発光窓部５３２を介してケース部５３０の外部に照射される。
【０１９８】
図１５に示すようにケース部５３０には端子部５３１が設けられている。生体情報測定装置を図示しないクレードルに装着すると、クレードルの端子部とケース部５３０の端子部５３１が電気的に接続される。これにより、ケース部５３０に設けられる二次電池（バッテリー）の充電が可能になる。
【０１９９】
センサー部１１０は被検体の脈波等の生体情報を検出するものである。例えばセンサー部１１０は、受光部と発光部を有する。またセンサー部１１０は、透光部材により形成され、被検体の皮膚表面に接触して押圧を与える凸部５５２を有する。このように凸部５５２が皮膚表面に押圧を与えた状態で、発光部が光を出射し、その光が被検体（血管）により反射された光を受光部が受光し、その受光結果が検出信号として処理部１３０に出力される。そして、処理部１３０は、センサー部１１０からの検出信号に基づいて脈波等の生体情報を検出する。なお、本実施形態の生体情報測定装置の検出対象となる生体情報は、脈波（脈拍数）には限定されず、生体情報測定装置は、脈波以外の生体情報（例えば血液中の酸素飽和度、体温、心拍等）を検出する装置であってもよい。
【０２００】
図１６は生体情報測定装置１００の装着及び携帯型通信端末２００との通信についての説明図である。
【０２０１】
図１６に示すように被検体であるユーザーは手首４１０に生体情報測定装置１００を時計のように装着する。図１５に示すように、ケース部５３０の被検体側の面にはセンサー部１１０が設けられている。従って、生体情報測定装置１００が装着されると、センサー部１１０の凸部５５２が手首４１０の皮膚表面に接触して押圧を与え、その状態でセンサー部１１０の発光部が光を発光し、受光部が反射光を受光することで脈波等の生体情報が検出される。
【０２０２】
生体情報測定装置１００と情報処理装置２００は通信接続されて、データのやり取りが可能になっている。情報処理装置２００は、例えばスマートフォン、携帯電話機、フューチャーフォン等の携帯型通信端末である。或いは情報処理装置２００は、タブレット型コンピューター等の情報処理端末であってもよい。生体情報測定装置１００と情報処理装置２００の通信接続としては、例えばブルートゥース等の近接無線通信を採用できる。このように生体情報測定装置１００と携帯型通信端末２００が通信接続されることで、携帯型通信端末２００の表示部４３０（ＬＣＤ等）に、脈拍数や消費カロリーなどの各種の生体情報（第１の生体情報、第２の生体情報）を表示できる。即ち、センサー部１１０の検出信号に基づき求められた各種の情報を表示できる。なお、脈拍数や消費カロリーなどの情報の演算処理は、生体情報測定装置１００において実行してもよいし、その少なくとも一部を携帯型通信端末２００において実行してもよい。
【０２０３】
なお、本実施形態の生体情報測定装置、情報処理装置及び生体情報測定システム等は、その処理の一部または大部分をプログラムにより実現してもよい。この場合には、ＣＰＵ等のプロセッサーがプログラムを実行することで、本実施形態の生体情報測定装置、情報処理装置及び生体情報測定システム等が実現される。具体的には、非一時的な情報記憶装置に記憶されたプログラムが読み出され、読み出されたプログラムをＣＰＵ等のプロセッサーが実行する。ここで、情報記憶装置（コンピューターにより読み取り可能な装置）は、プログラムやデータなどを格納するものであり、その機能は、光ディスク（ＤＶＤ、ＣＤ等）、ＨＤＤ（ハードディスクドライブ）、或いはメモリー（カード型メモリー、ＲＯＭ等）などにより実現できる。そして、ＣＰＵ等のプロセッサーは、情報記憶装置に格納されるプログラム（データ）に基づいて本実施形態の種々の処理を行う。即ち、情報記憶装置には、本実施形態の各部としてコンピューター（操作部、処理部、記憶部、出力部を備える装置）を機能させるためのプログラム（各部の処理をコンピューターに実行させるためのプログラム）が記憶される。
【０２０４】
また、本実施形態の生体情報測定装置、情報処理装置及び生体情報測定システム等は、プロセッサーとメモリーを含んでも良い。ここでのプロセッサーは、例えばＣＰＵ（Central Processing Unit）であってもよい。ただし、プロセッサーはＣＰＵに限定されるものではなく、ＧＰＵ（Graphics Processing Unit）、或いはＤＳＰ（Digital Signal Processor）等、各種プロセッサーを用いることが可能である。また、プロセッサーはＡＳＩＣ（Application Specific Integrated Circuit）によるハードウェア回路でもよい。また、メモリーはコンピューターにより読み取り可能な命令を格納するものであり、当該命令がプロセッサーにより実行されることで、本実施形態に係る生体情報測定装置、情報処理装置及び生体情報測定システム等の各部が実現されることになる。ここでのメモリーは、ＳＲＡＭ（Static Random Access Memory）、ＤＲＡＭ（Dynamic Random Access Memory）などの半導体メモリーであってもよいし、レジスターやハードディスク等でもよい。また、ここでの命令は、プログラムを構成する命令セットの命令でもよいし、プロセッサーのハードウェア回路に対して操作を指示する命令であってもよい。
【０２０５】
以上のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また、生体情報測定装置、情報処理装置及び生体情報測定システムの構成、動作も本実施形態で説明したものに限定されず、種々の変形実施が可能である。
【符号の説明】
【０２０６】
１０  情報処理装置、１１  情報取得部、１３  通信部、５０  外部装置、
８０  第１の情報処理装置、９０  第２の情報処理装置、１００  生体情報測定装置、
１１０  センサー部、１３０  処理部、１５０  通信部、１７０  時刻出力部、
１９０  記憶部、２００  情報処理装置（携帯型通信端末、）２１０  通信部、
２３０  処理部、４１０  手首、４３０  表示部、５１０  バンド部、５１２  穴部、
５１４  バックル部、５１５  バンド挿入部、５１６  突起部、５３０  ケース部、
５３１  端子部、５３２  発光窓部、５５２  凸部
【図１】
2015119909.tif 000004
【図２】
2015119909.tif 000005
【図３】
2015119909.tif 000006
【図４】
2015119909.tif 000007
【図５】
2015119909.tif 000008
【図６】
2015119909.tif 000009
【図７】
2015119909.tif 000010
【図８】
2015119909.tif 000011
【図９】
2015119909.tif 000012
【図１０】
2015119909.tif 000013
【図１１】
2015119909.tif 000014
【図１２】
2015119909.tif 000015
【図１３】
2015119909.tif 000016
【図１４】
2015119909.tif 000017
【図１５】
2015119909.tif 000018
【図１６】
2015119909.tif 000019